(57)【要約】【課題】対象となる人物と利用者との関係時期を考慮してその人物の顔画像を名刺情報に付随して閲覧可能とする情報処理装置を提供する。【解決手段】プロフィール情報に係る対象人物に関連する日付情報を取得する日付情報取得手段７０と、その日付情報取得手段７０により取得された日付情報に基づいて、対象人物の顔画像７６を、インターネット１６を介して接続された装置から検索する顔画像検索手段７２と、その顔画像検索手段７２により検索された顔画像７６を前記対象人物に対応付けてプロフィールデータベース６０に記憶する顔画像記憶手段７４とを、備えたものであることから、利用者がプロフィール情報に係る対象人物と面会した時点等を反映する日付情報に基づいてその人物の顔画像７６をプロフィール情報と対応付けて記憶することで、そのプロフィール情報の閲覧に際して好適な顔画像７６を表示させることができる。【選択図】図２２
2011180780.tif 000002
【特許請求の範囲】
【請求項１】
予め記憶装置に記憶された名刺情報の閲覧を可能とする情報処理装置であって、
前記名刺情報に係る対象人物に関連する日付情報を取得する日付情報取得手段と、
該日付情報取得手段により取得された日付情報に基づいて、前記対象人物の顔画像を、ネットワークを介して接続された装置から検索する顔画像検索手段と、
該顔画像検索手段により検索された顔画像を前記対象人物に対応付けてデータベースに記憶する顔画像記憶手段と
を、備えたものであることを特徴とする情報処理装置。
【請求項２】
前記日付情報取得手段は、前記名刺情報に係る対象人物との面会に係る日付情報を取得するものである請求項１に記載の情報処理装置。
【請求項３】
前記顔画像検索手段は、前記日付情報取得手段により取得された日付情報に係る暦に基づいて前記対象人物の顔画像を検索するものである請求項１又は２に記載の情報処理装置。
【請求項４】
前記顔画像検索手段は、前記日付情報取得手段により取得された日付情報に基づいて検索される複数の顔画像のうち、予め定められた基準となる顔画像との類似度が最も高い顔画像を検索するものである請求項１から３の何れか１項に記載の情報処理装置。
【請求項５】
音声情報を録音する録音手段を備えたものであり、
前記日付情報取得手段は、該録音手段により録音された音声情報を解析することにより前記対象人物に関連する日付情報を取得するものである請求項１から４の何れか１項に記載の情報処理装置。
【請求項６】
日付情報と予定情報とを対応付けて管理するスケジュール管理手段を備えたものであり、
前記日付情報取得手段は、該スケジュール管理手段により管理される予定情報を解析することにより前記対象人物に関連する日付情報を取得するものである請求項１から４の何れか１項に記載の情報処理装置。
【請求項７】
通信回線を介して他の通信端末との間で電子メールの送受信を行うメール管理手段を備えたものであり、
前記日付情報取得手段は、該メール管理手段により送信又は受信された電子メールに含まれるテキスト情報を解析することにより前記対象人物に関連する日付情報を取得するものである請求項１から４の何れか１項に記載の情報処理装置。
【請求項８】
光学的に二次元情報を読み取るスキャナを備えたものであり、
前記日付情報取得手段は、該スキャナにより二次元情報から前記名刺情報に係る情報が読み取られた時点又は読み取られた二次元情報の解析結果に基づいて前記対象人物に関連する日付情報を取得するものである請求項１から４の何れか１項に記載の情報処理装置。
【請求項９】
前記データベースは、前記対象人物毎に個別に前記名刺情報と該対象人物の顔画像とを対応付けて記憶するものである請求項１から８の何れか１項に記載の情報処理装置。
【請求項１０】
予め記憶装置に記憶された名刺情報の閲覧を可能とする情報処理システムであって、
前記名刺情報に係る対象人物に関連する日付情報を取得する日付情報取得手段と、
該日付情報取得手段により取得された日付情報に基づいて、前記対象人物の顔画像を、ネットワークを介して接続された装置から検索する顔画像検索手段と、
該顔画像検索手段により検索された顔画像を前記対象人物に対応付けてデータベースに記憶する顔画像記憶手段と
を、備えたものであることを特徴とする情報処理システム。
【請求項１１】
予め記憶装置に記憶された名刺情報の閲覧を可能とする情報処理方法であって、
前記名刺情報に係る対象人物に関連する日付情報を取得する日付情報取得過程と、
該日付情報取得過程において取得された日付情報に基づいて、前記対象人物の顔画像を、ネットワークを介して接続された装置から検索する顔画像検索過程と、
該顔画像検索過程において検索された顔画像を前記対象人物に対応付けてデータベースに記憶する顔画像記憶過程と
を、含むことを特徴とする情報処理方法。
【請求項１２】
予め記憶装置に記憶された名刺情報の閲覧を可能とする情報処理装置における制御部を、
前記名刺情報に係る対象人物に関連する日付情報を取得する日付情報取得手段、
該日付情報取得手段により取得された日付情報に基づいて、前記対象人物の顔画像を、ネットワークを介して接続された装置から検索する顔画像検索手段、
及び該顔画像検索手段により検索された顔画像を前記対象人物に対応付けてデータベースに記憶する顔画像記憶手段
として機能させるものであることを特徴とする情報処理プログラム。
【発明の詳細な説明】
【技術分野】
【０００１】
本発明は、名刺情報の閲覧を可能とする情報処理装置、情報処理システム、情報処理方法、及び情報処理プログラムの改良に関する。
【背景技術】
【０００２】
予め記憶装置に記憶された名刺情報の閲覧を可能とする情報処理装置が知られている。例えば、通信回線を介して名刺情報を記憶するサーバに接続され、対象となる人物の名刺情報をそのサーバからダウンロードして閲覧可能とする通信端末がそれである。また、そのような情報処理装置に係る名刺情報サービスに関して、常に最新の名刺情報を閲覧可能とするための技術が提案されている（特許文献１を参照）。
【先行技術文献】
【特許文献】
【０００３】
【特許文献１】特開２００２−２２２２７０号公報
【発明の概要】
【発明が解決しようとする課題】
【０００４】
ところで、前述したような名刺情報サービスにおいては、対象となる人物の名刺情報に付随してその人物の顔画像が閲覧可能とされているものがある。しかし、前記従来の技術により対象となる人物の名刺情報及び顔画像が常に最新のものに更新された場合、例えばその人物が髪型を変えたり眼鏡をコンタクトレンズにすること等によって、利用者（閲覧者）がその人物と会った時点におけるその人物の顔と前記顔画像とが一致しなくなるおそれがあった。すなわち、対象となる人物と利用者との関係時期を考慮してその人物の顔画像を名刺情報に付随して閲覧可能とする技術は、未だ開発されていないのが現状である。
【０００５】
本発明は、以上の事情を背景として為されたものであり、その目的とするところは、対象となる人物と利用者との関係時期を考慮してその人物の顔画像を名刺情報に付随して閲覧可能とする情報処理装置、情報処理システム、情報処理方法、及び情報処理プログラムを提供することにある。
【課題を解決するための手段】
【０００６】
斯かる目的を達成するために、本第１発明の要旨とするところは、予め記憶装置に記憶された名刺情報の閲覧を可能とする情報処理装置であって、前記名刺情報に係る対象人物に関連する日付情報を取得する日付情報取得手段と、その日付情報取得手段により取得された日付情報に基づいて、前記対象人物の顔画像を、ネットワークを介して接続された装置から検索する顔画像検索手段と、その顔画像検索手段により検索された顔画像を前記対象人物に対応付けてデータベースに記憶する顔画像記憶手段とを、備えたことを特徴とするものである。
【０００７】
また、前記目的を達成するために、本第２発明の要旨とするところは、予め記憶装置に記憶された名刺情報の閲覧を可能とする情報処理システムであって、前記名刺情報に係る対象人物に関連する日付情報を取得する日付情報取得手段と、その日付情報取得手段により取得された日付情報に基づいて、前記対象人物の顔画像を、ネットワークを介して接続された装置から検索する顔画像検索手段と、その顔画像検索手段により検索された顔画像を前記対象人物に対応付けてデータベースに記憶する顔画像記憶手段とを、備えたことを特徴とするものである。
【０００８】
また、前記目的を達成するために、本第３発明の要旨とするところは、予め記憶装置に記憶された名刺情報の閲覧を可能とする情報処理方法であって、前記名刺情報に係る対象人物に関連する日付情報を取得する日付情報取得過程と、その日付情報取得過程において取得された日付情報に基づいて、前記対象人物の顔画像を、ネットワークを介して接続された装置から検索する顔画像検索過程と、その顔画像検索過程において検索された顔画像を前記対象人物に対応付けてデータベースに記憶する顔画像記憶過程とを、含むことを特徴とするものである。
【０００９】
また、前記目的を達成するために、本第４発明の要旨とするところは、予め記憶装置に記憶された名刺情報の閲覧を可能とする情報処理装置における制御部を、前記名刺情報に係る対象人物に関連する日付情報を取得する日付情報取得手段、その日付情報取得手段により取得された日付情報に基づいて、前記対象人物の顔画像を、ネットワークを介して接続された装置から検索する顔画像検索手段、及びその顔画像検索手段により検索された顔画像を前記対象人物に対応付けてデータベースに記憶する顔画像記憶手段として機能させるものであることを特徴とする情報処理プログラムである。
【発明の効果】
【００１０】
このように、前記第１発明によれば、前記名刺情報に係る対象人物に関連する日付情報を取得する日付情報取得手段と、その日付情報取得手段により取得された日付情報に基づいて、前記対象人物の顔画像を、ネットワークを介して接続された装置から検索する顔画像検索手段と、その顔画像検索手段により検索された顔画像を前記対象人物に対応付けてデータベースに記憶する顔画像記憶手段とを、備えたものであることから、利用者が名刺情報に係る対象人物と面会した時点等を反映する日付情報に基づいてその人物の顔画像を名刺情報と対応付けて記憶することで、その名刺情報の閲覧に際して好適な顔画像を表示させることができる。すなわち、名刺情報に係る対象人物と利用者との関係時期を考慮してその人物の顔画像を名刺情報に付随して閲覧可能とする情報処理装置を提供することができる。
【００１１】
ここで、前記第１発明において、好適には、前記日付情報取得手段は、前記名刺情報に係る対象人物との面会に係る日付情報を取得するものである。このようにすれば、利用者が名刺情報に係る対象人物と面会した時点を反映する日付情報に基づいてその人物の顔画像を名刺情報と対応付けて記憶することで、その名刺情報の閲覧に際して好適な顔画像を表示させることができる。
【００１２】
また、好適には、前記顔画像検索手段は、前記日付情報取得手段により取得された日付情報に係る暦に基づいて前記対象人物の顔画像を検索するものである。このようにすれば、例えば取得された日付情報が平日か或いは休日か等の情報を踏まえて更に好適な顔画像を検索することができる。
【００１３】
また、好適には、前記顔画像検索手段は、前記日付情報取得手段により取得された日付情報に基づいて検索される複数の顔画像のうち、予め定められた基準となる顔画像との類似度が最も高い顔画像を検索するものである。このようにすれば、基準となる顔画像に構図や顔の向き等が類似する好適な顔画像を検索することができる。
【００１４】
また、好適には、音声情報を録音する録音手段を備えたものであり、前記日付情報取得手段は、その録音手段により録音された音声情報を解析することにより前記対象人物に関連する日付情報を取得するものである。このようにすれば、例えば電話やメッセンジャ等による前記対象人物との通信に際して入力される音声情報に含まれるキーワード等から名刺情報に係る対象人物に関連する日付情報を好適に取得することができる。
【００１５】
また、好適には、日付情報と予定情報とを対応付けて管理するスケジュール管理手段を備えたものであり、前記日付情報取得手段は、そのスケジュール管理手段により管理される予定情報を解析することにより前記対象人物に関連する日付情報を取得するものである。このようにすれば、前記名刺情報に係る対象人物との面会の予定等を管理するスケジュール管理手段の予定情報からその対象人物に関連する日付情報を好適に取得することができる。
【００１６】
また、好適には、通信回線を介して他の通信端末との間で電子メールの送受信を行うメール管理手段を備えたものであり、前記日付情報取得手段は、そのメール管理手段により送信又は受信された電子メールに含まれるテキスト情報を解析することにより前記対象人物に関連する日付情報を取得するものである。このようにすれば、名刺情報に係る対象人物との面会の約束等をテキスト情報として含む電子メールからその対象人物に関連する日付情報を好適に取得することができる。
【００１７】
また、好適には、光学的に二次元情報を読み取るスキャナを備えたものであり、前記日付情報取得手段は、そのスキャナにより二次元情報から前記名刺情報に係る情報が読み取られた時点又は読み取られた二次元情報の解析結果に基づいて前記対象人物に関連する日付情報を取得するものである。このようにすれば、対象人物から受け取った名刺やその人物との面会に係る議事録等をスキャンした時点又は議事録の内容から前記名刺情報として読み取られた対象人物に関連する日付情報を好適に取得することができる。
【００１８】
また、好適には、前記データベースは、前記対象人物毎に個別にその人物の名刺情報とその人物の顔画像とを対応付けて記憶するものである。このようにすれば、対象となる複数の人物それぞれについてその人物と利用者との関係時期を考慮して顔画像を名刺情報に付随して閲覧可能とすることができる。
【００１９】
また、前記第２発明によれば、前記名刺情報に係る対象人物に関連する日付情報を取得する日付情報取得手段と、その日付情報取得手段により取得された日付情報に基づいて、前記対象人物の顔画像を、ネットワークを介して接続された装置から検索する顔画像検索手段と、その顔画像検索手段により検索された顔画像を前記対象人物に対応付けてデータベースに記憶する顔画像記憶手段とを、備えたものであることから、利用者が対象人物と面会した時点等を反映する日付情報に基づいて前記面会した対象人物の顔画像を名刺情報と対応付けて記憶することで、前記名刺情報の閲覧に際して好適な前記面会した対象人物の顔画像を表示させることができる。すなわち、名刺情報に係る対象人物と利用者との関係時期を考慮してその人物の顔画像を名刺情報に付随して閲覧可能とする情報処理システムを提供することができる。
【００２０】
また、前記第３発明によれば、前記名刺情報に係る対象人物に関連する日付情報を取得する日付情報取得過程と、その日付情報取得過程において取得された日付情報に基づいて、前記対象人物の顔画像を、ネットワークを介して接続された装置から検索する顔画像検索過程と、その顔画像検索過程において検索された顔画像を前記対象人物に対応付けてデータベースに記憶する顔画像記憶過程とを、含むことから、利用者が名刺情報に係る対象人物と面会した時点等を反映する日付情報に基づいてその人物の顔画像を名刺情報と対応付けて記憶することで、その名刺情報の閲覧に際して好適な顔画像を表示させることができる。すなわち、名刺情報に係る対象人物と利用者との関係時期を考慮してその人物の顔画像を名刺情報に付随して閲覧可能とする情報処理方法を提供することができる。
【００２１】
また、前記第４発明によれば、予め記憶装置に記憶された名刺情報の閲覧を可能とする情報処理装置における制御部を、前記名刺情報に係る対象人物に関連する日付情報を取得する日付情報取得手段、その日付情報取得手段により取得された日付情報に基づいて、前記対象人物の顔画像を、ネットワークを介して接続された装置から検索する顔画像検索手段、及びその顔画像検索手段により検索された顔画像を前記対象人物に対応付けてデータベースに記憶する顔画像記憶手段として機能させるものであることを特徴とする情報処理プログラムであることから、利用者が名刺情報に係る対象人物と面会した時点等を反映する日付情報に基づいてその人物の顔画像を名刺情報と対応付けて記憶することで、その名刺情報の閲覧に際して好適な顔画像を表示させることができる。すなわち、名刺情報に係る対象人物と利用者との関係時期を考慮してその人物の顔画像を名刺情報に付随して閲覧可能とする情報処理プログラムを提供することができる。
【図面の簡単な説明】
【００２２】
【図１】本発明の情報処理システムの構成を例示する図である。
【図２】本発明の情報処理装置の構成を例示するブロック図である。
【図３】図１のサーバ装置の構成を例示するブロック図である。
【図４】プロフィール情報を例示する図である。
【図５】図３のプロフィールデータベースに、各対象人物毎に記憶される情報の一例を示す図である。
【図６】他者のプロフィール情報を例示する図である。
【図７】写真管理テーブルの一例を示す図である。
【図８】スケジュール情報の一例を示す図である。
【図９】図２の情報処理装置におけるＣＰＵに備えられた制御機能の要部を説明する機能ブロック線図である。
【図１０】音声情報に対応して解析されたテキスト情報を例示する図である。
【図１１】キーワードフィルタを例示する図である。
【図１２】音声情報に対応して解析されたテキスト情報を例示する図である。
【図１３】キーワードフィルタを例示する図である。
【図１４】電子メールに含まれるテキスト情報を例示する図である。
【図１５】キーワードフィルタを例示する図である。
【図１６】電子メールに含まれるテキスト情報を例示する図である。
【図１７】キーワードフィルタを例示する図である。
【図１８】スケジューラに登録される様子を説明する図である。
【図１９】プロフィール情報の登録乃至その閲覧について説明する図である。
【図２０】従来の情報処理システムにおける問題点を説明する図である。
【図２１】従来の情報処理システムにおける問題点を説明する図である。
【図２２】図２１に示す従来の情報処理システムと比較しての、本発明の実施例である図１の情報処理システムの効果について説明する図である。
【図２３】情報処理装置のＣＰＵによるメイン制御の要部を説明するフローチャートである。
【図２４】図２３に示すメイン制御における新規打合せ予定日の作成処理の要部を説明するフローチャートである。
【図２５】図２４に示す新規打合せ予定日の作成処理における打合せ依頼メールの送信処理の要部を説明するフローチャートである。
【図２６】図２４に示す新規打合せ予定日の作成処理における打合せ返答メールの受信処理の要部を説明するフローチャートである。
【図２７】図２３に示すメイン制御における端末内のデータベース整理処理の要部を説明するフローチャートである。
【図２８】図２３に示すメイン制御におけるプロフィール情報送信処理の要部を説明するフローチャートである。
【図２９】図２３に示すメイン制御におけるプロフィール情報受信処理の要部を説明するフローチャートである。
【図３０】新規打合せ予定日の作成処理の要部を説明するフローチャートである。
【図３１】図３０に示す新規打合せ予定日の作成処理における打合せ応答の検出処理の要部を説明するフローチャートである。
【図３２】図３０に示す新規打合せ予定日の作成処理における打合せ依頼の検出処理の要部を説明するフローチャートである。
【図３３】打合せ相手のプロフィール情報を図３のサーバ装置から取得する処理に係るメイン制御の要部を説明するフローチャートである。
【図３４】図３のサーバ装置のＣＰＵによるプロフィール配信処理の要部を説明するフローチャートである。
【発明を実施するための形態】
【００２３】
以下、本発明の好適な実施例を図面に基づいて詳細に説明する。
【実施例】
【００２４】
図１は、本発明が好適に適用される情報処理システム１０の構成を例示する図である。この図１に示すように、本実施例の情報処理システム１０では、複数（図１では２つを例示）の情報処理装置１２ａ、１２ｂ（以下、特に区別しない場合には単に情報処理装置１２という）とサーバ装置１４とが、全世界における多数の通信網が相互に接続されることにより形成された広域的なネットワークであるインターネット１６を介して相互に情報の送受信可能に接続されている。また、上記複数の情報処理装置１２ａ、１２ｂは、公衆電話回線１８に接続されており、その公衆電話回線１８を介して相互に電話通信（音声通話）が可能とされている。また、図１に示すように、上記情報処理装置１２は、斯かる電話通信を行うための無線通話器としての通話子機２０ａ、２０ｂ（以下、特に区別しない場合には単に通話子機２０という）をそれぞれ備えている。
【００２５】
図２は、上記情報処理装置１２の構成を例示するブロック図である。この図２に示すように、上記情報処理装置１２は、中央演算処理装置であるＣＰＵ２４、読出専用メモリであるＲＯＭ２６、及び随時書込読出メモリであるＲＡＭ２８を備え、上記ＣＰＵ２４により上記ＲＡＭ２８の一時記憶機能を利用しつつ上記ＲＯＭ２６に予め記憶されたプログラムに従って信号処理を行う所謂パーソナルコンピュータである。
【００２６】
また、前記情報処理装置１２は、ハードディスク等の記憶装置３０と、ビデオボード３４により制御されるＴＦＴ（Thin Film Transistor Liquid Crystal）等の映像表示装置３２と、ＵＳＢ（Universal Serial Bus）等のインターフェイス３８を介して接続されるキーボード等の入力装置３６と、無線或いは有線ＬＡＮ（Local Area Network）を介してスキャナ２２等の装置との間で通信を行うと共に前記情報処理装置１２を前記インターネット１６に接続するための第１通信部４０と、前記情報処理装置１２及び通話子機２０によりＤＥＣＴ（Digital Enhanced Cordless Telecommunications：デジタルコードレス電話システム）通信網等を構成すると共にその通話子機２０を所謂コードレス電話として前記公衆電話回線１８に接続するための第２通信部４２とを、備えて構成されている。また、上記記憶装置３０には、プロフィールデータベース３１が備えられている。
【００２７】
上記第１通信部４０は、前記情報処理装置１２を無線により或いは有線接続にて上記ＬＡＮに接続すると共に、そのＬＡＮを介して前記インターネット１６に接続するインターフェイスである。前記情報処理装置１２は、この第１通信部４０により上記ＬＡＮに接続されることで、そのＬＡＮを介して上記スキャナ２２や前記インターネット１６に接続された前記サーバ装置１４及び他の情報処理装置１２等との間で情報の通信が可能とされる。
【００２８】
前記第２通信部４２は、前記情報処理装置１２を無線によりＤＥＣＴ通信網等の電話システムに接続するインターフェイスである。前記情報処理装置１２は、この第２通信部４２により斯かる電話システムに接続されることで、上記通話子機２０により前記公衆電話回線１８を介して他の装置（例えば、他の情報処理装置１２）との間で電話通信が可能とされる。また、前記第２通信部４２は、電話通信に係る音声情報を入力するためのマイクロフォン及び音声情報を出力するためのスピーカを内蔵しており、他の装置との間の通話（電話通信）に際して、マイクロフォンにより音声（音波）に対応する機械的な振動を電気信号（音声情報）に変換して通信対象へ送信すると共に、その通信対象から送られてくる音声情報（電気信号）に対応する音声を機械的な振動として出力させる制御を行う。
【００２９】
上記スキャナ２２は、紙の書類や写真等の二次元情報を光学的に読み取り、前記情報処理装置１２において処理可能な画像情報に変換する装置であり、好適には、上記第１通信部４０を介して無線ＬＡＮにより前記情報処理装置１２に接続される。或いは、有線ＬＡＮにより前記情報処理装置１２に接続されたものであってもよいし、その情報処理装置１２の一部として内蔵されたものであってもよい。また、このスキャナ２２は、ＱＲコード（登録商標）等の二次元バーコードを読み取るバーコードリーダであってもよい。
【００３０】
図３は、前記サーバ装置１４の構成を例示するブロック図である。この図４に示すように、前記サーバ装置１４は、中央演算処理装置であるＣＰＵ４４、読出専用メモリであるＲＯＭ４６、及び随時書込読出メモリであるＲＡＭ４８を備え、上記ＣＰＵ４４により上記ＲＡＭ４８の一時記憶機能を利用しつつ上記ＲＯＭ４６に予め記憶されたプログラムに従って信号処理を行うノイマン型コンピュータであり、通信部５０を介して前記インターネット１６に接続されている。また、ビデオボード５４により制御されるＴＦＴ等の映像表示装置５２と、ＵＳＢ等のインターフェイス５８を介して接続されるキーボード等の入力装置５６とを、備えている。また、ハードディスク等の大容量記憶装置により構成されたプロフィールデータベース６０を備えている。
【００３１】
図４は、上記プロフィールデータベース６０に記憶されるプロフィール情報を例示する図である。この図４に示すように、上記プロフィールデータベース６０には、登録対象となる人物（対象人物）の名刺情報の一例として、氏名、所属（会社名、会社における所属部署乃至役職等）、電話番号、住所、メールアドレス、及び顔写真等の情報を含むプロフィール情報が記憶されるようになっている。この顔写真は、例えば、前記情報処理装置１２からアップロードされるＪＰＥＧ（Joint Photographic Experts Group）形式、ＰＮＧ（portable network graphics）形式、ＧＩＦ（graphics interchange format）形式等の画像ファイルであり、必ずしも人物の顔のみを写したものではなく、所謂バストアップ画像や全身を撮影したものであってもよい。
【００３２】
また、前記プロフィールデータベース６０には、好適には、対象人物毎に個別に上記プロフィール情報とその対象人物の顔画像とが対応付けられて記憶されるようになっている。図５は、各対象人物（登録者）毎に前記プロフィールデータベース６０に記憶（蓄積）される情報の一例を示す図である。この図５に示すように、前記プロフィールデータベース６０には、各対象人物毎に複数のプロフィール情報が記憶される。例えば、プロフィール情報の番号（識別情報）、登録された日付、公開写真（各プロフィール情報に対応する顔画像）、及び更新情報（所属部門、メールアドレス等）が、各対象人物毎に統括的に管理されるように構成されている。更には、後述するように、各対象人物に対応して、閲覧者である人物毎に複数のプロフィール情報を記憶するものであってもよい。
【００３３】
一方、前記情報処理装置１２の記憶装置３０に設けられたプロフィールデータベース３１には、各利用者（自己）に対応する図４に示すような個人のプロフィール情報（自己プロフィール情報）が記憶されており、必要に応じてそのプロフィール情報が前記インターネット１８等を介して前記サーバ装置１４へアップロードされるようになっている。また、そのサーバ装置１４のプロフィールデータベース６０に記憶された情報は、前記情報処理装置１２に備えられた後述するプロフィール情報閲覧手段６２（図９を参照）により閲覧可能とされていると共に、そのプロフィールデータベース６０に記憶された他者のプロフィール情報が随時ダウンロードされ、前記記憶装置３０に設けられたプロフィールデータベース３１に記憶できるようになっている。すなわち、図６に示すような他者のプロフィール情報が、各情報処理装置１２の記憶装置３０に登録人数分記憶（蓄積）し得るように構成されており、逐一前記サーバ装置１４のプロフィールデータベース６０にアクセスを行わなくとも、他者のプロフィール情報を随時閲覧できるようになっている。換言すれば、前記情報処理装置１２の記憶装置３０には、複数のプロフィール情報を記憶するデータベースが構成される。
【００３４】
また、前記情報処理装置１２の記憶装置３０には、各利用者に対応する複数の顔画像が記憶されるようになっている。図７は、前記情報処理装置１２の記憶装置３０に記憶される写真管理テーブルの一例を示す図である。この図７に示すように、斯かる写真管理テーブルには、各利用者に対応する複数の顔画像が記憶される。例えば、顔画像の番号（識別情報）によって識別される複数の顔画像（画像ファイル）が、撮影された日付と対応付けられて記憶されるようになっている。なお、この写真管理テーブルは、好適には、前記情報処理装置１２に対応する（情報処理装置１２の利用者である）人物の顔画像を記憶管理するものであるが、他者すなわち前記インターネット１６を介して接続される他の情報処理装置１２に係る利用者の顔画像を記憶管理する写真管理テーブルを別に備えたものであってもよい。また、図７に示すような写真管理テーブルが、前記サーバ装置１４に備えられた記憶装置に各利用者毎に記憶されるものであってもよい。
【００３５】
また、前記情報処理装置１２の記憶装置３０には、各利用者に対応するスケジュール情報が記憶されるようになっている。図８は、前記情報処理装置１２の記憶装置３０に記憶されるスケジュール情報の一例を示す図である。この図８に示すように、斯かるスケジュール情報として、例えば、スケジュールの番号（識別情報）によって識別される内容（打ち合わせ、営業等）と、誰とのスケジュールであるか（各内容の対象となる人物）とが対応付けられて記憶されるようになっている。このスケジュール情報は、前記情報処理装置１２に備えられた後述するスケジュール管理手段６６（図９を参照）により管理される。
【００３６】
また、前記情報処理装置１２の記憶装置３０には、一年間の月日に関する暦情報が記憶されている。この暦情報は、一年間の月日の曜日や祝祭日等を記憶するものであり、少なくともその暦情報を参照することにより各月日が平日であるか或いは休日であるかを識別できるようになっている。また、各利用者に対応して有給休暇や会社毎の休日等、私的な（対象となる人物毎の）休日等に関する情報を記憶（登録）し得るものであってもよい。
【００３７】
図９は、前記情報処理装置１２のＣＰＵ２４に備えられた制御機能の要部を説明する機能ブロック線図である。この図９に示すプロフィール情報閲覧手段６２は、前記サーバ装置１４のプロフィールデータベース６０に記憶されたプロフィール情報を前記映像表示装置３２等に閲覧可能に表示させる。例えば、前記サーバ装置１４におけるサービスの利用に係る識別情報（利用者ＩＤ）及びパスワードの入力等によってログインを行った後、前記プロフィールデータベース６０に記憶された複数の利用者（対象人物）に係るプロフィール情報のうち、前記入力装置３６等の操作により選択される所定の利用者に係るプロフィール情報を前記インターネット１６を介してダウンロードして前記記憶装置３０乃至ＲＡＭ２８等に記憶させる。そして、前記ビデオボード３４等を介してそのプロフィール情報に対応する映像を前記映像表示装置３２に表示させる。なお、前記プロフィールデータベース６０に記憶されたプロフィール情報が所謂ウェブサイトとして閲覧可能に構成されたものである場合、上記プロフィール情報閲覧手段６２として、好適には、前記インターネット１６上のウェブサイトを閲覧するためのブラウザ（browser）が用いられる。
【００３８】
録音手段６４は、前記第２通信部４２による前記公衆電話回線１８を介しての他の装置との間の電話通信に際して、その電話通信に係る音声情報を録音して前記記憶装置３０或いはＲＡＭ２８等に記憶する。例えば、前記第２通信部４２を介して通話相手である他の装置へ送信（出力）される音声情報及びその装置から受信（入力）される音声情報を、ＭＰ３（MPEG audio layer 3）、ＡＡＣ（advanced audio coding）、ＷＡＶ等のファイル形式の音声データ（音声ファイル）として、通話相手の識別情報（例えば、電話番号）と対応付けて記憶する。なお、この録音手段６４による録音は、前記第２通信部４２による電話通信が行われた場合常に行われるものであってもよいし、前記入力装置３６等により所定の操作が行われた場合にのみ行われるものであってもよい。更には、前記公衆電話回線１８を介して他の装置からの着信を受けながら通話開始操作が行われなかった場合に、所謂留守番電話として録音を行うものであってもよい。
【００３９】
スケジュール管理手段６６は、日付情報と予定情報とを対応付けて管理する所謂スケジューラ（Scheduler）であり、前記記憶装置３０に記憶されたスケジュール情報を管理する。すなわち、前記入力装置３６等による操作に応じて、図８に示すようなスケジュール情報の新規作成、更新、削除等を行う。また、斯かる基本的な制御に加えて、指定の日時になった場合に自動的に前記映像表示装置３２に所定のメッセージを表示させたり、入力データから週別や月別の表を作成して後述する図１８に示すようなスケジュール一覧表を作成乃至表示させる制御を行うものであってもよい。
【００４０】
メール管理手段６８は、前記情報処理装置１２による電子メールの送信及び受信を制御する所謂メーラ（Mailer）である。すなわち、前記インターネット１６に接続されたメールサーバと同一のプロトコルにより電子メールの送受信を行うものであり、例えば送信にＳＭＴＰ、受信にＰＯＰ３を用いるＭＵＡ（Mail User Agent）である。前記入力装置３６等による入力操作に応じて作成された電子メールは、このメール管理手段６８により前記インターネット１６を介して上記メールサーバへ、延いては受信側の装置へ送信される。また、他の装置から送信された電子メールは、前記インターネット１６を介して上記メール管理手段６８により受信され、前記記憶装置３０における電子メールデータベースに格納される。
【００４１】
日付情報取得手段７０は、前記プロフィールデータベース６０に記憶（登録）されるプロフィール情報に関して、各プロフィール情報の対象人物に関連する日付情報を取得する。この日付情報は、好適には、名刺情報としてのプロフィール情報の対象人物との面会（その人物の顔を視認可能な状態においての会話）が行われた日付或いは行われる予定の日付であり、既に前記プロフィールデータベース６０に登録されている対象人物に関する情報であると、未だそのプロフィールデータベース６０に登録されていない対象人物に関する情報であるとを問わない。すなわち、これから前記プロフィールデータベース６０に登録されるプロフィール情報の対象人物に関連する日付情報を取得するものであってもよい。また、本実施例における面会とは、利用者と対象人物とが直接対面することのみならず、例えばテレビ電話によりお互いの顔を見ながら話をする場合のように、対象人物の顔を視認し得る状態となることを言う。
【００４２】
上記日付情報取得手段７０は、好適には、前記録音手段６４により録音された音声情報を解析することにより、その音声情報に係る電話通信の相手である対象人物に関連する日付情報を取得する。例えば、よく知られた音声認識技術により、前記録音手段６４により録音された音声情報を文章として認識し、その文章を漢字かな交じりの文章としてテキスト情報化するディクテーション処理を行う。そして、予め定められたキーワードがそのテキスト情報に含まれるか否かを判断し、当該キーワードが検出された場合にはそのテキスト情報に含まれる日付情報を、前記対象人物に関連する日付情報として取得する。
【００４３】
図１０は、前記録音手段６４により録音された所定の音声情報に対応して、前記日付情報取得手段７０により解析されたテキスト情報を例示する図である。この図１０に示す情報は、前記情報処理装置１２（自端末）から他の装置へ発せられた打合わせ依頼メッセージに相当するものであり、図１１に示すようなキーワードフィルタが設定されている場合、図１０に示す情報から「打合わせ」、「○○月」、「××日」のキーワードが検出される。また、図１２は、前記録音手段６４により録音された所定の音声情報に対応して、前記日付情報取得手段７０により解析されたテキスト情報の他の一例を示す図であり、図１０に示す打合せ依頼に対して他の装置から返信された打合せ承諾メッセージに相当するものである。図１３に示すようなキーワードフィルタが設定されている場合、図１２に示す情報から「ＯＫ」のキーワードが検出される。このようにして、図１０及び図１２に示すような音声情報に係る電話通信が行われた場合、「○○月××日」が電話通信の相手である対象人物に関連する日付情報として取得される。
【００４４】
また、前記日付情報取得手段７０は、好適には、前記メール管理手段６８により送信又は受信された電子メールに含まれるテキスト情報を解析することにより、その電子メールの送受信相手である対象人物に関連する日付情報を取得する。例えば、前記メール管理手段６８により送信又は受信された電子メールの本文に相当するテキスト情報に予め定められたキーワードが含まれるか否かを判断し、当該キーワードが検出された場合にはそのテキスト情報に含まれる日付情報を、前記対象人物に関連する日付情報として取得する。
【００４５】
図１４は、前記メール管理手段６８により送信された電子メールに含まれるテキスト情報を例示する図である。この図１４に示す情報は、前記情報処理装置１２（自端末）から他の装置へ送信された打合わせ依頼メールに相当するものであり、図１５に示すようなキーワードフィルタが設定されている場合、図１４に示す情報から「打合わせ」、「案内」、「○○月」、「××日」のキーワードが検出される。また、図１６は、前記メール管理手段６８により受信された電子メールに含まれるテキスト情報を例示する図であり、図１４に示す打合せ依頼に対して他の装置から返信された打合せ承諾メールに相当するものである。図１７に示すようなキーワードフィルタが設定されている場合、図１６に示す情報から「了解」のキーワードが検出される。このようにして、図１４及び図１６に示すようなテキスト情報を本文に含む電子メールが送受信された場合、「○○月××日」がその電子メールの遣り取りの相手である対象人物に関連する日付情報として取得される。
【００４６】
また、前記日付情報取得手段７０は、好適には、前記スケジュール管理手段６６により管理されるスケジュール情報（予定情報）を解析することにより前記対象人物に関連する日付情報を取得する。例えば、前記入力装置３６等による入力操作に応じて前記スケジュール管理手段６６により所定の打合せに係るスケジュール情報が登録（検出）乃至更新された場合には、そのスケジュール情報の日付を打合せの相手（図８に示す「誰と」に対応）である対象人物に関連する日付情報として取得する。
【００４７】
また、前記日付情報取得手段７０は、好適には、前記スキャナ２２により二次元情報から前記プロフィール情報に係る情報が読み取られた時点に基づいて前記対象人物に関連する日付情報を取得する。例えば、紙媒体としての名刺（印刷物）に、前記プロフィールデータベース６０における対象人物のプロフィール情報にアクセスするためのＵＲＬ（Uniform Resource Locator）が記載してあり、前記スキャナ２２によりその名刺をスキャンすることにより当該ＵＲＬが取得される態様において、前記スキャナ２２によりその名刺がスキャンされてＵＲＬが読み取られた時点を、前記対象人物に関連する日付情報として取得する。また、前記スキャナ２２により読み取られた面談（面会）の議事録等の二次元情報を、よく知られた文字認識技術により解析し、その解析結果としてのテキスト情報から前記対象人物に関連する日付情報を取得するものであってもよい。
【００４８】
以上のようにして前記日付情報取得手段７０により日付情報が取得された場合、好適には、図１８に示すようにその日付情報の対象人物に対応するプロフィール情報が、前記プロフィールデータベース６０において更新が必要な予定として前記スケジュール管理手段６６により登録される。すなわち、前記日付情報取得手段７０により取得された日付情報に係る対象人物のプロフィール情報が、更新が必要な予定としてスケジューラに自動登録される。
【００４９】
図９に示す顔画像検索手段７２は、前記日付情報取得手段７０により取得された日付情報に基づいて、前記対象人物の顔画像を、前記インターネット１６等のネットワークを介して接続された装置から検索する。例えば、前記日付情報取得手段７０により取得された日付情報に係る対象人物に対応する情報処理装置１２に記憶された、前述した図７に示すような写真管理テーブルから、その取得された日付情報に基づいて単数乃至複数の顔画像を検索する。好適には、斯かる対象人物に対応する写真管理テーブルから、前記取得された日付情報よりも撮影日時が前であり且つ最も撮影日時が近い顔写真を検索する。また、図７に示すような写真管理テーブルが、前記サーバ装置１４の記憶装置に各利用者毎に設けられている態様においては、そのサーバ装置１４における対象人物の写真管理テーブルに記憶された複数の顔写真から検索が行われる。
【００５０】
前記顔画像検索手段７２は、好適には、前記日付情報取得手段７０により取得された日付情報に係る暦に基づいて前記対象人物の顔画像を検索する。すなわち、前記日付情報取得手段７０により取得された日付情報に係る暦が平日に相当する場合には、前記他の情報処理装置１２乃至サーバ装置１４に記憶された写真管理テーブルから、撮影日時が平日である顔写真を検索する。また、前記日付情報取得手段７０により取得された日付情報に係る暦が休日に相当する場合には、前記他の情報処理装置１２乃至サーバ装置１４に記憶された写真管理テーブルから、撮影日時が休日である顔写真を検索する。
【００５１】
また、前記顔画像検索手段７２は、好適には、前記日付情報取得手段７０により取得された日付情報に基づいて検索される複数の顔画像のうち、予め定められた基準となる顔画像との類似度が最も高い顔画像を検索する。この基準となる顔画像は、好適には、自機すなわち検索主体である利用者の情報処理装置１２に、図４を用いて前述したように自己のプロフィール情報として記憶された顔画像であり、その基準となる顔画像の構図、アングル、サイズ、解像度等の情報を解析し、それらの情報に関して最も類似度が高い顔画像を前記他の情報処理装置１２乃至サーバ装置１４に記憶された写真管理テーブルから検索する。
【００５２】
図９に示す顔画像記憶手段７４は、前記顔画像検索手段７２により検索された顔画像を前記対象人物に対応付けてデータベースに記憶する。この顔画像記憶手段７４により顔画像が記憶される対象のデータベースは、好適には、前記サーバ装置１４におけるプロフィールデータベース６０であり、そのプロフィールデータベース６０においてその対象人物に係るプロフィール情報を閲覧する際に、前記顔画像検索手段７２により検索された顔画像がそのプロフィール情報に対応して閲覧可能となるように、前記プロフィールデータベース６０の記憶内容を更新する。なお、図５を用いて前述したように、前記プロフィールデータベース６０には、各対象人物毎に複数のプロフィール情報が記憶されるものであり、好適には、上記顔画像記憶手段７４により新たな顔画像が記憶される毎（顔画像検索手段７２により新たな顔画像が検索される毎）に、その顔画像に対応するプロフィール情報を記憶主体（検索主体）である利用者の識別情報と対応付けて前記プロフィールデータベース６０に記憶する。また、前記顔画像検索手段７２により検索された顔画像の場所（例えばそのＵＲＬ）と、その顔画像に係る対象人物との対応付け情報を前記プロフィールデータベース６０に記憶するものであってもよく、必ずしも画像ファイルとしての顔画像そのものを前記プロフィールデータベース６０に記憶しなくともよい。
【００５３】
また、前記顔画像記憶手段７４は、前記顔画像検索手段７２により検索された顔画像を前記対象人物に対応付けて前記記憶装置３０におけるデータベースに記憶するものであってもよい。すなわち、前述のように、前記記憶装置３０に複数の他者のプロフィール情報が記憶可能とされた構成において、前記顔画像検索手段７２により検索された顔画像を対象人物のプロフィール情報に係る顔画像として登録（更新）するものであってもよい。また、前記顔画像検索手段７２により検索された顔画像の場所（例えばそのＵＲＬ）と、その顔画像に係る対象人物との対応付け情報を前記記憶装置３０に記憶するものであってもよく、必ずしも画像ファイルとしての顔画像そのものをその記憶装置３０に記憶しなくともよい。
【００５４】
図１９は、前記情報処理システム１０におけるプロフィール情報の登録乃至その閲覧について説明する図である。この図１９に示すように、本実施例の情報処理システム１０において、田中さんの端末である情報処理装置１２ａの記憶装置３０に記憶された田中さんのプロフィール情報、及び佐藤さんの端末である情報処理装置１２ｂの記憶装置３０に記憶された佐藤さんのプロフィール情報が前記インターネット１６を介して前記サーバ装置１４へアップロードされ、そのサーバ装置１４のプロフィールデータベース６０に記憶（登録）されることにより、それら田中さん及び佐藤さんのプロフィール情報が前記インターネット１６を介して交互に閲覧可能となる。また、好適には、本実施例の情報処理システム１０では、前記サーバ装置１４を介することなく、前記インターネット１６を介して接続された前記情報処理装置１２ａ、１２ｂ相互間において所謂ピアツーピア（peer to peer）でプロフィール情報の閲覧（送受信）が可能とされる。
【００５５】
図２０及び図２１は、従来の情報処理システムにおける問題点を説明する図である。図２０に示すように、紙媒体としての名刺（印刷物）に、前記プロフィールデータベース６０における対象人物のプロフィール情報にアクセスするためのＵＲＬが記載してあり、前記スキャナ２２によりその名刺をスキャンすることにより当該ＵＲＬが取得される態様について考える。ここで、実際に面会が行われた場において、プロフィール情報（名刺情報）の登録者である佐藤さんから閲覧者である田中さんへ佐藤さんの名刺が渡され、その名刺を持ち帰った田中さんは例えば自宅の情報処理装置１２ａにおいてその名刺をスキャンし、佐藤さんのプロフィール情報にアクセスする。図２０に示す例において、面会時の佐藤さんはロングヘアに眼鏡をかけており、田中さんは佐藤さんの容貌をそのように把握している。また、前記プロフィールデータベース６０には、佐藤さんのプロフィール情報に対応してロングヘアに眼鏡をかけた顔写真７６が記憶されており、この時点において田中さんの把握した佐藤さんの容貌と登録プロフィール情報における顔写真７６とは一致している。
【００５６】
ここで、図２１に示すように、田中さんとの面会後に佐藤さんがイメージを変えるべく髪型をおかっぱにし、眼鏡をコンタクトレンズに変えた状況を想定する。この場合、佐藤さんは現在の自分の容貌を前記プロフィールデータベース６０に記憶されたプロフィール情報に反映するために、その新しい容貌に対応する顔写真７８を前記サーバ装置１４にアップロードして、元の顔写真７６を新しい顔写真７８に更新する。従来の情報処理システムにおいては、このようにプロフィール情報の登録者である佐藤さんが情報（顔写真）を更新した場合、そのプロフィール情報の閲覧者である田中さんが閲覧する情報もまた最新の情報に更新される。田中さんが佐藤さんから渡された名刺をすぐにスキャンし、佐藤さんのプロフィール情報に係る顔写真が図２０に示す顔写真７６から図２１に示す顔写真７８に更新される前にその閲覧が行われた場合には、田中さんの把握した佐藤さんの容貌と登録プロフィール情報における顔写真７６とは一致しているため問題は生じない。しかし、面会からある程度日にちが経過し、佐藤さんのプロフィール情報に係る顔写真が図２０に示す顔写真７６から図２１に示す顔写真７８に更新された後に名刺のスキャンが行われる等してその閲覧が行われた場合には、田中さんの把握した佐藤さんの容貌と登録プロフィール情報における顔写真７８とが一致せず、閲覧者である田中さんに混乱が生じるおそれがある。
【００５７】
一方、本実施例の情報処理システム１０においては、対象人物に関連する日付情報に基づいて検索された顔画像が、その対象人物のプロフィール情報として前記プロフィールデータベース６０に記憶される。前述のように、この顔写真は、例えば面会が行われた日付等の日付情報よりも撮影日時が前であり且つ最も撮影日時が近い顔写真が検索されて記憶されるものであるため、面会時において実際に視認された対象人物の容貌と一致するものとなる。従って、図２２に示すように、面会からある程度日にちが経過し、佐藤さんのプロフィール情報に係る顔写真が図２０に示す顔写真７６から図２１に示す顔写真７８に更新された後に名刺のスキャンが行われる等してその閲覧が行われた場合であっても、田中さんが閲覧する佐藤さんのプロフィール情報に係る顔写真は面会時の顔写真７６となる。よって、田中さんの把握した佐藤さんの容貌と登録プロフィール情報における顔写真７６とが一致するため、閲覧者である田中さんの混乱を防ぐことができるのである。
【００５８】
図２３は、前記情報処理装置１２のＣＰＵ２４によるプロフィール情報の処理に関して、打合せ予定の自動作成から打合せ相手（対象人物）の更新プロフィールの取得までに係るメイン制御の要部を説明するフローチャートであり、所定の周期で繰り返し実行されるものである。
【００５９】
先ず、ステップ（以下、ステップを省略する）ＳＡにおいて、図２４等に示す新規打合せ予定日の作成処理が実行される。次に、Ｓ１において、ＳＡの処理によりプロフィール情報の更新が必要なスケジュール情報（予定）が作成されたか否かが判断される。このＳ１の判断が否定される場合には、Ｓ２以下の処理が実行されるが、Ｓ１の判断が肯定される場合には、ＳＢにおいて、図２７に示す端末内のデータベース整理処理が実行される。次に、ＳＣにおいて、図２８に示すプロフィール情報送信処理が実行される。次に、ＳＤにおいて、図２９に示すプロフィール情報受信処理が実行される。次に、Ｓ２において、前記情報処理装置１２の電源がオフとされたか否かが判断される。このＳ２の判断が否定される場合には、ＳＡ以下の処理が再び実行されるが、Ｓ２の判断が肯定される場合には、それをもって本ルーチンが終了させられる。
【００６０】
図２４は、図２３に示すメイン制御における新規打合せ予定日の作成処理の要部を説明するフローチャートであり、電子メールに含まれるテキスト情報に基づいて日付情報を取得する態様に相当する。先ず、ＳＡＡにおいて、図２５に示す打合せ依頼メールの送信処理が実行される。次に、ＳＡ１において、前記インターネット１６を介して他の装置から電子メールが受信されたか否かが判断される。このＳＡ１の判断が否定される場合には、それをもって図２３の制御に復帰させられるが、ＳＡ１の判断が肯定される場合には、ＳＡＢにおいて、図２６に示す打合せ返答メールの受信処理が実行された後、図２３の制御に復帰させられる。
【００６１】
図２５は、図２４に示す新規打合せ予定日の作成処理における打合せ依頼メールの送信処理の要部を説明するフローチャートである。先ず、ＳＡＡ１において、前記記憶装置３０に記憶された他者のプロフィール情報から電子メールの宛先（メールアドレス）が設定される。次に、ＳＡＡ２において、前記入力装置３６等による入力操作に応じて、送信対象となる電子メール文章の作成処理が実行される。次に、ＳＡＡ３において、ＳＡＡ２にて作成された電子メール（送信メール）に含まれるテキスト情報中に、予め定められた所定キーワードが検出されたか否かが判断される。このＳＡＡ３の判断が否定される場合には、ＳＡＡ５以下の処理が実行されるが、ＳＡＡ３の判断が肯定される場合には、ＳＡＡ４において、送信対象である電子メールの宛先（メールアドレス）がチェック対象リストに登録される。次に、ＳＡＡ５において、ＳＡＡ２にて作成された電子メールが設定された宛先に送信された後、図２４に示す新規打合せ予定日の作成処理に復帰させられる。
【００６２】
図２６は、図２４に示す新規打合せ予定日の作成処理における打合せ返答メールの受信処理の要部を説明するフローチャートである。先ず、ＳＡＢ１において、受信された電子メールの送信元（メールアドレス）が、チェック対象リストに登録されているか否かが判断される。このＳＡＢ１の判断が否定される場合には、それをもって図２４に示す新規打合せ予定日の作成処理に復帰させられるが、ＳＡＢ１の判断が肯定される場合には、ＳＡＢ２において、受信された電子メールに含まれるテキスト情報の解析処理が行われる。次に、ＳＡＢ３において、ＳＡＢ２にて解析されたテキスト情報中に、予め定められた所定キーワードが検出されたか否かが判断される。このＳＡＢ３の判断が否定される場合には、それをもって図２４に示す新規打合せ予定日の作成処理に復帰させられるが、ＳＡＢ３の判断が肯定される場合には、ＳＡＢ４において、ＳＡＡ及びＳＡＢによる処理の結果として取得された日付情報と、通信相手のメールアドレスとを含むスケジュール情報が作成され、プロフィール情報の更新が必要な予定としてスケジューラに登録された後、図２４に示す新規打合せ予定日の作成処理に復帰させられる。
【００６３】
図２７は、図２３に示すメイン制御における端末内のデータベース整理処理の要部を説明するフローチャートである。先ず、ＳＢ１において、スケジューラに登録された打合せ予定日の所定日程内に更新された顔画像が、対象人物に係る写真管理テーブルの中に存在するか否かが判断される。このＳＢ１の判断が否定される場合には、それをもって図２３に示すメイン制御に復帰させられるが、ＳＢ１の判断が肯定される場合には、ＳＢ２において、撮影日付の暦種別がスケジューラに登録された打合せ予定日と同じ暦種別（例えば、平日又は休日の種別）の顔画像が存在するか否かが判断される。このＳＢ２の判断が否定される場合には、それをもって図２３に示すメイン制御に復帰させられるが、ＳＢ２の判断が肯定される場合には、ＳＢ３において、自端末すなわち制御主体である情報処理装置１２の記憶装置３０に登録された自己プロフィール情報における顔画像と類似する顔画像が存在するか否かが判断される。このＳＢ３の判断が否定される場合には、それをもって図２３に示すメイン制御に復帰させられるが、ＳＢ３の判断が肯定される場合には、ＳＢ４において、ＳＢ１〜ＳＢ３の結果として検索された顔画像が更新情報として、前記サーバ装置１４へ送信される送信用データにセットされた後、図２３に示すメイン制御に復帰させられる。
【００６４】
図２８は、図２３に示すメイン制御におけるプロフィール情報送信処理の要部を説明するフローチャートである。先ず、ＳＣ１において、前記サーバ装置１４へ送信される送信用データとしてセットされたプロフィール情報の更新情報が前記記憶装置３０に存在するか否かが判断される。このＳＣ１の判断が否定される場合には、それをもって図２３に示すメイン制御に復帰させられるが、ＳＣ１の判断が肯定される場合には、ＳＣ２において、送信用データとしてセットされたプロフィール情報の更新情報（顔画像）が、日付情報としての打合せ日時と関連付けられて前記サーバ装置１４へ送信された後、図２３に示すメイン制御に復帰させられる。
【００６５】
図２９は、図２３に示すメイン制御におけるプロフィール情報受信処理の要部を説明するフローチャートである。先ず、ＳＤ１において、打合せ予定に係る対象人物のプロフィール情報が前記記憶装置３０に既に登録されているか否かが判断される。このＳＤ１の判断が否定される場合には、それをもって図２３に示すメイン制御に復帰させられるが、ＳＤ１の判断が肯定される場合には、ＳＤ２において、打合せ日時に基づく対象人物のプロフィール情報の更新情報が前記サーバ装置１４のプロフィールデータベース６０から取得される。次に、ＳＤ３において、前記サーバ装置１４からの更新情報の取得に成功したか否かが判断される。このＳＤ３の判断が否定される場合には、それをもって図２３に示すメイン制御に復帰させられるが、ＳＤ３の判断が肯定される場合には、取得された更新情報により打合せ予定に係る対象人物のプロフィール情報が更新された後、図２３に示すメイン制御に復帰させられる。
【００６６】
図３０は、図２４の処理の代替として実行される、図２３に示すメイン制御における新規打合せ予定日の作成処理の要部を説明するフローチャートであり、電話通信における会話内容に基づいて日付情報を取得する態様に相当する。先ず、ＳＡ２において、前記記憶装置３０に記憶された他者のプロフィール情報からダイヤル先の電話番号が設定される。次に、ＳＡ３において、ＳＡ２にて設定された電話番号にダイヤルされ、前記第２通信部４２を介してその電話番号に係る対象人物との電話通信が開始される。次に、ＳＡ４において、前記第２通信部４２において音声入力が検出されたか否かが判断される。このＳＡ４の判断が否定される場合には、ＳＡ６以下の処理が実行されるが、ＳＡ４の判断が肯定される場合には、ＳＡ５において、電話通信に係るダイヤル先の電話番号が打合せ応答待ちとして登録されているか否かが判断される。このＳＡ５の判断が肯定される場合には、ＳＡＣにおいて、図３１に示す打合せ応答の検出処理が実行された後、ＳＡ６以下の処理が実行されるが、ＳＡ５の判断が否定される場合には、ＳＡＤにおいて、図３２に示す打合せ依頼の検出処理が実行された後、ＳＡ６において、電話通信が終了されたか否かが判断される。このＳＡ６の判断が否定される場合には、ＳＡ４以下の処理が再び実行されるが、ＳＡ６の判断が肯定される場合には、それをもって図２３に示すメイン制御に復帰させられる。
【００６７】
図３１は、図３０に示す新規打合せ予定日の作成処理における打合せ応答の検出処理の要部を説明するフローチャートである。先ず、ＳＡＣ１において、前記第２通信部４２に入力された音声情報が解析され、その音声情報中に予め定められた所定キーワードが検出されたか否かが判断される。このＳＡＣ１の判断が否定される場合には、それをもって図３０に示す新規打合せ予定日の作成処理に復帰させられるが、ＳＡＣ１の判断が肯定される場合には、ＳＡＣ２において、通信相手であるダイヤル先（電話番号）がチェック対象リストに登録された後、図３０に示す新規打合せ予定日の作成処理に復帰させられる。
【００６８】
図３２は、図３０に示す新規打合せ予定日の作成処理における打合せ依頼の検出処理の要部を説明するフローチャートである。先ず、ＳＡＤ１において、前記第２通信部４２に入力された音声情報が解析され、その音声情報中に予め定められた所定キーワードが検出されたか否かが判断される。このＳＡＤ１の判断が否定される場合には、それをもって図３０に示す新規打合せ予定日の作成処理に復帰させられるが、ＳＡＤ１の判断が肯定される場合には、ＳＡＤ２において、ＳＡＣ及びＳＡＤによる処理の結果として取得された日付情報と、通信相手の電話番号とを含むスケジュール情報が作成され、プロフィール情報の更新が必要な予定としてスケジューラに登録された後、図３０に示す新規打合せ予定日の作成処理に復帰させられる。
【００６９】
図３３は、前記情報処理装置１２のＣＰＵ２４によるプロフィール情報の処理に関して、打合せ相手（対象人物）のプロフィール情報を前記サーバ装置１４から取得する処理に係るメイン制御の要部を説明するフローチャートであり、所定の周期で繰り返し実行されるものである。
【００７０】
先ず、Ｓ３において、対象人物の名刺（紙媒体）及び議事録等の二次元情報が前記スキャナ２２により読み取られる。次に、Ｓ４において、Ｓ３にて読み取られた名刺に関連するプロフィール情報が前記サーバ装置１４のプロフィールデータベース６０に登録されているか否かが判断される。このＳ４の判断が否定される場合には、それをもって本ルーチンが終了させられるが、Ｓ４の判断が肯定される場合には、Ｓ５において、前記スキャナ２２により名刺と共にスキャンされた議事録の解析結果としてその議事録に記載された日付すなわち、名刺交換を行った会議を開催した時点の日付情報が前記サーバ装置１４へ送信される。また、議事録から日付情報が読み取れない場合は、読み取った時点が日付情報として取得され、前記サーバ装置１４へ送信される。次に、Ｓ６において、前記サーバ装置１４のプロフィールデータベース６０から対象人物に関連するプロフィール情報が抽出される。次に、Ｓ７において、前記サーバ装置１４から読み出された情報に応じて、前記記憶装置３０に記憶された対象人物のプロフィール情報が更新された後、本ルーチンが終了させられる。
【００７１】
図３４は、前記サーバ装置１４のＣＰＵ４４によるプロフィール配信処理の要部を説明するフローチャートであり、所定の周期で繰り返し実行されるものである。
【００７２】
先ず、ＳＳ１において、前記情報処理装置１２からのプロフィール情報の配信要求が検出されたか否かが判断される。このＳＳ１の判断が否定される場合には、それをもって本ルーチンが終了させられるが、ＳＳ１の判断が肯定される場合には、ＳＳ２において、前記情報処理装置１２により指定（送信）された日付情報に対応する更新情報が存在するか否かが判断される。このＳＳ２の判断が否定される場合には、それをもって本ルーチンが終了させられるが、ＳＳ２の判断が肯定される場合には、ＳＳ３において、前記情報処理装置１２により指定された日付情報に対応する更新情報に係るプロフィール情報がその情報処理装置１２へ配信された後、本ルーチンが終了させられる。
【００７３】
以上の制御において、Ｓ６及びＳ７が前記プロフィール情報閲覧手段６２の動作に、ＳＡＣ及びＳＡＤが前記録音手段６４の動作に、ＳＡＢ４及びＳＡＤ２が前記スケジュール管理手段６６の動作に、ＳＡＡ、ＳＡ１、及びＳＡＢが前記メール管理手段６８の動作に、ＳＡが前記日付情報取得手段７０の動作乃至日付情報取得過程に、ＳＢが前記顔画像検索手段７２の動作乃至顔画像検索過程に、ＳＣが前記顔画像記憶手段７４の動作乃至顔画像記憶過程に、それぞれ対応する。
【００７４】
このように、本実施例によれば、名刺情報としてのプロフィール情報に係る対象人物に関連する日付情報を取得する日付情報取得手段７０（ＳＡ）と、その日付情報取得手段７０により取得された日付情報に基づいて、前記対象人物の顔画像７６等を、ネットワークとしてのインターネット１６を介して接続された装置から検索する顔画像検索手段７２（ＳＢ）と、その顔画像検索手段７２により検索された顔画像７６等を前記対象人物に対応付けて前記プロフィールデータベース６０等に記憶する顔画像記憶手段７４（ＳＣ）とを、備えたものであることから、利用者がプロフィール情報に係る対象人物と面会した時点等を反映する日付情報に基づいてその人物の顔画像７６等をプロフィール情報と対応付けて記憶することで、そのプロフィール情報の閲覧に際して好適な顔画像７６等を表示させることができる。すなわち、名刺情報に係る対象人物と利用者との関係時期を考慮してその人物の顔画像を名刺情報に付随して閲覧可能とする情報処理装置１２を提供することができる。
【００７５】
また、前記日付情報取得手段７０は、前記名刺情報に係る対象人物との面会に係る日付情報を取得するものであるため、利用者が名刺情報に係る対象人物と面会した時点を反映する日付情報に基づいてその人物の顔画像７６等を名刺情報と対応付けて記憶することで、その名刺情報の閲覧に際して好適な顔画像７６等を表示させることができる。
【００７６】
また、前記顔画像検索手段７２は、前記日付情報取得手段７０により取得された日付情報に係る暦に基づいて前記対象人物の顔画像７６等を検索するものであるため、例えば取得された日付情報が平日か或いは休日か等の情報を踏まえて更に好適な顔画像７６等を検索することができる。
【００７７】
また、前記顔画像検索手段７２は、前記日付情報取得手段７０により取得された日付情報に基づいて検索される複数の顔画像７６等のうち、予め定められた基準となる顔画像との類似度が最も高い顔画像７６等を検索するものであるため、基準となる顔画像に構図や顔の向き等が類似する好適な顔画像７６等を検索することができる。
【００７８】
また、音声情報を録音する録音手段６４（ＳＡＣ及びＳＡＤ）を備えたものであり、前記日付情報取得手段７０は、その録音手段６４により録音された音声情報を解析することにより前記対象人物に関連する日付情報を取得するものであるため、例えば電話やメッセンジャ等による前記対象人物との通信に際して入力される音声情報に含まれるキーワード等からプロフィール情報に係る対象人物に関連する日付情報を好適に取得することができる。
【００７９】
また、日付情報と予定情報とを対応付けて管理するスケジュール管理手段６６（ＳＡＢ４及びＳＡＤ２）を備えたものであり、前記日付情報取得手段７０は、そのスケジュール管理手段６６により管理される予定情報を解析することにより前記対象人物に関連する日付情報を取得するものであるため、前記プロフィール情報に係る対象人物との面会の予定等を管理するスケジュール管理手段６６の予定情報からその対象人物に関連する日付情報を好適に取得することができる。
【００８０】
また、通信回線としてのインターネット１６を介して他の通信端末との間で電子メールの送受信を行うメール管理手段６８（ＳＡＡ、ＳＡ１、及びＳＡＢ）を備えたものであり、前記日付情報取得手段７０は、そのメール管理手段６８により送信又は受信された電子メールに含まれるテキスト情報を解析することにより前記対象人物に関連する日付情報を取得するものであるため、プロフィール情報に係る対象人物との面会の約束等をテキスト情報として含む電子メールからその対象人物に関連する日付情報を好適に取得することができる。
【００８１】
また、光学的に二次元情報を読み取るスキャナ２２を備えたものであり、前記日付情報取得手段７０は、そのスキャナ２２により二次元情報から前記プロフィール情報に係る情報が読み取られた時点又は読み取られた二次元情報の解析結果に基づいて前記対象人物に関連する日付情報を取得するものであるため、対象人物から受け取った名刺（紙媒体）やその人物との面会に係る議事録等をスキャンした時点又は議事録の内容から前記プロフィール情報として読み取られた対象人物に関連する日付情報を好適に取得することができる。
【００８２】
また、前記プロフィールデータベース６０は、前記対象人物毎に個別にその人物のプロフィール情報とその人物の顔画像７６等とを対応付けて記憶するものであるため、対象となる複数の人物それぞれについてその人物と利用者との関係時期を考慮して顔画像６８等をプロフィール情報に付随して閲覧可能とすることができる。
【００８３】
また、本実施例によれば、プロフィール情報に係る対象人物に関連する日付情報を取得する日付情報取得手段７０と、その日付情報取得手段７０により取得された日付情報に基づいて、前記対象人物の顔画像７６等を、インターネット１６を介して接続された装置から検索する顔画像検索手段７２と、その顔画像検索手段７２により検索された顔画像７６等を前記対象人物に対応付けて前記プロフィールデータベース６０等に記憶する顔画像記憶手段７４とを、備えたものであることから、利用者が対象人物と面会した時点等を反映する日付情報に基づいて前記面会した対象人物の顔画像７６等をプロフィール情報と対応付けて記憶することで、前記プロフィール情報の閲覧に際して好適な前記面会した対象人物の顔画像７６等を表示させることができる。すなわち、名刺情報に係る対象人物と利用者との関係時期を考慮してその人物の顔画像を名刺情報に付随して閲覧可能とする情報処理システム１０を提供することができる。
【００８４】
また、本実施例によれば、プロフィール情報に係る対象人物に関連する日付情報を取得する日付情報取得過程（ＳＡ）と、その日付情報取得過程において取得された日付情報に基づいて、前記対象人物の顔画像７６等を、インターネット１６を介して接続された装置から検索する顔画像検索過程（ＳＢ）と、その顔画像検索過程において検索された顔画像７６等を前記対象人物に対応付けて前記プロフィールデータベース６０等に記憶する顔画像記憶過程（ＳＣ）とを、含むことから、利用者がプロフィール情報に係る対象人物と面会した時点等を反映する日付情報に基づいてその人物の顔画像７６等をプロフィール情報と対応付けて記憶することで、そのプロフィール情報の閲覧に際して好適な顔画像７６等を表示させることができる。すなわち、名刺情報に係る対象人物と利用者との関係時期を考慮してその人物の顔画像を名刺情報に付随して閲覧可能とする情報処理方法を提供することができる。
【００８５】
また、本実施例によれば、予め記憶装置３０等に記憶されたプロフィール情報の閲覧を可能とする情報処理装置１２における制御部としてのＣＰＵ２４を、前記プロフィール情報に係る対象人物に関連する日付情報を取得する日付情報取得手段７０、その日付情報取得手段７０により取得された日付情報に基づいて、前記対象人物の顔画像７６等を、インターネット１６を介して接続された装置から検索する顔画像検索手段７２、及びその顔画像検索手段７２により検索された顔画像７６等を前記対象人物に対応付けて前記プロフィールデータベース６０等に記憶する顔画像記憶手段７４として機能させるものであることを特徴とする情報処理プログラムであることから、利用者がプロフィール情報に係る対象人物と面会した時点等を反映する日付情報に基づいてその人物の顔画像７６等をプロフィール情報と対応付けて記憶することで、そのプロフィール情報の閲覧に際して好適な顔画像７６等を表示させることができる。すなわち、名刺情報に係る対象人物と利用者との関係時期を考慮してその人物の顔画像を名刺情報に付随して閲覧可能とする情報処理プログラムを提供することができる。
【００８６】
以上、本発明の好適な実施例を図面に基づいて詳細に説明したが、本発明はこれに限定されるものではなく、更に別の態様においても実施される。
【００８７】
例えば、前述の実施例において、前記情報処理装置１２は、各利用者それぞれに対応して家庭やオフィス等に備えられた所謂パーソナルコンピュータであったが、本発明はこれに限定されるものではなく、例えば入力装置及び表示装置として機能するタッチパネルディスプレイを備えたデジタルフォトフレームや、携帯電話機等の情報通信端末にも本発明は好適に適用される。すなわち、本発明は、予め記憶装置に記憶された名刺情報の閲覧を可能とする情報処理装置に広く適用され得るものである。
【００８８】
また、前述の実施例において、前記情報処理システム１０は、プロフィール情報を記憶するプロフィールデータベース６０を有するサーバ装置１４を備えたものであったが、斯かるサーバ装置１４を備えない情報処理システムにも本発明は好適に適用される。例えば、前記インターネット１６を介して接続された前記情報処理装置１２ａ、１２ｂ相互間における所謂ピアツーピアでのプロフィール情報の送受信を主体とする情報処理システムにも、本発明は好適に適用されるものである。
【００８９】
また、前述の実施例において、前記日付情報取得手段７０は、前記第２通信部４２による電話通信における音声情報や、電子メールに含まれるテキスト情報等から前記日付情報を取得するものであったが、例えば、前記インターネット１６を介して音声乃至テキストによる通信を行うメッセンジャの通信記録や、インターネット上のブログ（blog）に記載されたテキスト情報、或いは電子掲示板（ＢＢＳ：bulletin board system）への書込内容等を解析することにより、前記対象人物に関連する日付情報を取得するものであってもよい。
【００９０】
その他、一々例示はしないが、本発明はその趣旨を逸脱しない範囲内において種々の変更が加えられて実施されるものである。
【符号の説明】
【００９１】
１０：情報処理システム
１２：情報処理装置
１６：インターネット（ネットワーク、通信回線）
１８：公衆電話回線（ネットワーク）
２２：スキャナ
３０：記憶装置
６０：プロフィールデータベース
６４：録音手段
６６：スケジュール管理手段
６８：メール管理手段
７０：日付情報取得手段
７２：顔画像検索手段
７４：顔画像記憶手段
７６、７８：顔写真
【図１】
2011180780.tif 000003
【図２】
2011180780.tif 000004
【図３】
2011180780.tif 000005
【図４】
2011180780.tif 000006
【図５】
2011180780.tif 000007
【図６】
2011180780.tif 000008
【図７】
2011180780.tif 000009
【図８】
2011180780.tif 000010
【図９】
2011180780.tif 000011
【図１０】
2011180780.tif 000012
【図１１】
2011180780.tif 000013
【図１２】
2011180780.tif 000014
【図１３】
2011180780.tif 000015
【図１４】
2011180780.tif 000016
【図１５】
2011180780.tif 000017
【図１６】
2011180780.tif 000018
【図１７】
2011180780.tif 000019
【図１８】
2011180780.tif 000020
【図１９】
2011180780.tif 000021
【図２０】
2011180780.tif 000022
【図２１】
2011180780.tif 000023
【図２２】
2011180780.tif 000024
【図２３】
2011180780.tif 000025
【図２４】
2011180780.tif 000026
【図２５】
2011180780.tif 000027
【図２６】
2011180780.tif 000028
【図２７】
2011180780.tif 000029
【図２８】
2011180780.tif 000030
【図２９】
2011180780.tif 000031
【図３０】
2011180780.tif 000032
【図３１】
2011180780.tif 000033
【図３２】
2011180780.tif 000034
【図３３】
2011180780.tif 000035
【図３４】
2011180780.tif 000036